(57)【要約】【課題】屈曲させた状態で配管しても、当該屈曲箇所の残留応力を小さくすることができ、施工後の給水給湯パイプの耐クラック性を向上させることができる、給水給湯パイプの施工方法を提供する。【解決手段】ポリブテンを含有する給水給湯パイプ2を施工する、給水給湯パイプの施工方法である。給水給湯パイプ2を屈曲させた状態で配管する、配管工程と、給水給湯パイプ2の屈曲箇所2cを、１３０°Ｃ以上、２００°Ｃ以下で加熱する、加熱工程と、を有する。【選択図】図２
2019002188.tif 000002
【特許請求の範囲】
【請求項１】
ポリブテンを含有する給水給湯パイプを施工する、給水給湯パイプの施工方法であって、
前記給水給湯パイプを屈曲させた状態で配管する、配管工程と、
前記給水給湯パイプの屈曲箇所を、１３０°Ｃ以上、２００°Ｃ以下で加熱する、加熱工程と、
を有する、給水給湯パイプの施工方法。
【請求項２】
前記加熱工程は、前記給水給湯パイプの内部から前記屈曲箇所を加熱して行う、請求項１に記載の給水給湯パイプの施工方法。
【請求項３】
前記加熱工程は、前記給水給湯パイプの内部に加熱水蒸気を導入することにより、前記給水給湯パイプの内部から前記屈曲箇所を加熱して行う、請求項２に記載の給水給湯パイプの施工方法。
【発明の詳細な説明】
【技術分野】
【０００１】
本発明は、給水給湯パイプの施工方法に関する。
【背景技術】
【０００２】
近年、施工性に優れ腐食の心配のないプラスチック製のパイプが給水給湯パイプとして用いられている（例えば、非特許文献１参照。）。
【先行技術文献】
【非特許文献】
【０００３】
【非特許文献１】株式会社ライフク，ベンド管  熱曲げベンド管，[online]，［平成２９年４月１４日検索］，インターネット＜http://lyfuk.co.jp/processing/processing01/processing01_286.html＞
【発明の概要】
【発明が解決しようとする課題】
【０００４】
なかでも、ポリブテンを含有するポリブテンパイプは、内圧クリープ性及び施工性に優れることから、今後も使用が益々進むことが予想される。
【０００５】
しかしながら、ポリブテンは、耐圧クリープ特性が良好な一方で、屈曲させると残留応力が他の樹脂に比べて減衰しない。このため、ポリブテンパイプを屈曲させた状態で配管して長期にわたって使用すると、ポリブテンパイプにクラックが発生することがあった。
【０００６】
本発明の目的は、屈曲させた状態で配管しても、当該屈曲箇所の残留応力を小さくすることができ、施工後の給水給湯パイプの耐クラック性を向上させることができる、給水給湯パイプの施工方法を提供することである。
【課題を解決するための手段】
【０００７】
本発明に係る給水給湯パイプの施工方法は、ポリブテンを含有する給水給湯パイプを施工する、給水給湯パイプの施工方法であって、前記給水給湯パイプを屈曲させた状態で配管する、配管工程と、前記給水給湯パイプの屈曲箇所を、１３０°Ｃ以上、２００°Ｃ以下で加熱する、加熱工程と、を有する。
従って、本発明に係る給水給湯パイプの施工方法によれば、屈曲させた状態で配管しても、残留応力を小さくすることができ、施工後の給水給湯パイプの耐クラック性を向上させることができる。
【０００８】
本発明に係る給水給湯パイプの施工方法では、前記加熱工程は、前記給水給湯パイプの内部から前記屈曲箇所を加熱して行うことが好ましい。
この場合、配管後の給水給湯パイプの加熱が外部から困難な場所、例えば、配管後の給水給湯パイプが周囲の壁等に囲まれることによって狭い空間に収容されるような場所に、配管後の給水給湯パイプの屈曲部分があっても、給水給湯パイプの屈曲箇所を容易に加熱することができる。
【０００９】
本発明に係る給水給湯パイプの施工方法では、前記加熱工程は、前記給水給湯パイプの内部に加熱水蒸気を導入することにより、前記給水給湯パイプの内部から加熱を行うことが好ましい。
この場合、高い伝熱効率で給水給湯パイプを加熱することができる。
【発明の効果】
【００１０】
本発明によれば、屈曲させた状態で配管しても、当該屈曲箇所の残留応力を小さくすることができ、施工後の給水給湯パイプの耐クラック性を向上させることができる、給水給湯パイプの施工方法を提供することができる。
【図面の簡単な説明】
【００１１】
【図１】本発明に係る一実施形態の給水給湯パイプの施工方法を説明するための模式断面図である。
【図２】本発明に係る一実施形態の給水給湯パイプの施工方法を説明するための他の模式断面図である。
【発明を実施するための形態】
【００１２】
以下、図面を参照して本発明に係る一実施形態の給水給湯パイプの施工方法を説明する。
【００１３】
本発明に係る給水給湯パイプの施工方法は、台所、洗面所、浴室、トイレ等の、水を使用する部分、即ち、水回り１に、給水給湯パイプを施工するための方法である。本実施形態では、水回り１としての洗面所に、給水給湯パイプを施工するための方法を例示して説明する。
【００１４】
給水給湯パイプ２は、ポリブテン（ＰＢ）を含有するパイプである。給水給湯パイプ２は、少なくともポリブテンを含有していればよい。給水給湯パイプ２は、例えば、ポリブテンの他、ポリプロピレン（ＰＰ）等の他のオレフィン系樹脂及び必要に応じてその他の成分を含有させることができる。この場合、ポリブテン（ＰＢ）と他のオレフィン系樹脂（ＯＲ）との質量比は、ＰＢ：ＯＲ＝８５：１５〜１００：０とすることが好ましく、ＰＢ：ＯＲ＝９０：１０〜１００：０とすることがより好ましい。またパイプ成分全量に対するポリブテン量の比は、８５質量％以上であることが好ましい。なお、本明細書中にて、「給水給湯パイプ」とは、冷水及び温水の少なくともいずれか一方を供給することが可能なパイプを指す。
【００１５】
［配管工程］
本実施形態に係る給水給湯パイプの施工方法ではまず、配管工程を行う。前記配管工程では、図１に示すように、給水給湯パイプ２を屈曲させた状態で配管する。具体的には、図１の矢印に示すように、給水給湯パイプ２を床下空間Ｓに配管・配置し、当該給水給湯パイプ２の一端２ａの側を屈曲させた状態で水回り１に接続する。本実施形態では、例えば、可撓性を有する給水給湯パイプ２を、図１の二点鎖線矢印で示す位置から、図１の実線矢印で示すように水回り１に接続することができる。
【００１６】
［加熱工程］
次いで、本実施形態に係る給水給湯パイプの施工方法では、加熱工程を行う。前記加熱工程では、少なくとも、給水給湯パイプ２の屈曲箇所２ｃを、１３０°Ｃ以上、２００°Ｃ以下の加熱温度Ｔ（１３０°Ｃ≦Ｔ≦２００°Ｃ）で加熱する。加熱温度Ｔを１３０°Ｃ以上とすれば、ポリブテンの融点（一般的には、約１３０°Ｃ）以上で加熱することにより、給水給湯パイプ２の残留応力σ、特に給水給湯パイプ２の屈曲箇所の残留応力σを低減させることができる。また加熱温度Ｔが２００°Ｃを超えると、給水給湯パイプ２の形状が変形してしまう虞がある。より好ましくは、ポリブテンの融点よりも、より加熱温度Ｔが高い、１４０°Ｃ≦Ｔ≦２００°Ｃとする。なお、本明細書中、「加熱温度ＴがＡ°Ｃ以上、Ｂ°Ｃ以下で加熱する」とは、給水給湯パイプ２の内表面及び外表面の少なくとも一方の温度がＡ°Ｃ以上、給水給湯パイプ２の内表面及び外表面の双方の温度がＢ°Ｃ以下となるように加熱することを指し、当該加熱温度を加熱温度Ｔという。また加熱時間は、給水給湯パイプ２の用途、形状、大きさ等によって適宜設定することができるが、例えば、５〜１０分とすることができる。
【００１７】
このように本実施形態に係る給水給湯パイプの施工方法によれば、給水給湯パイプ２の配管後に、給水給湯パイプ２の屈曲箇所２ｃを加熱することにより、給水給湯パイプ２の残留応力σが低減し、屈曲させた状態で配管された、給水給湯パイプ２の寿命（特に給湯用途における寿命）を延長することができる。従って、本実施形態に係る給水給湯パイプの施工方法によれば、給水給湯パイプ２を屈曲させた状態で配管しても、当該屈曲箇所２ｃの残留応力σを小さくすることができ、施工後の給水給湯パイプ２の耐クラック性を向上させることができる。
【００１８】
特に本実施形態では、給水給湯パイプ２の配管後に当該給水給湯パイプ２を加熱処理している。このため、本実施形態では、予め給水給湯パイプ２を屈曲させた状態で加熱処理した後に当該屈曲状態で配管する場合に比べて、給水給湯パイプ２の配管時の当該給水給湯パイプ２の取り回しが容易になる。従って、本実施形態に係る給水給湯パイプの施工方法によれば、配管時における作業効率も低下することがない。
【００１９】
ところで、本発明に係る給水給湯パイプの施工方法によれば、給水給湯パイプ２の加熱は、給水給湯パイプ２の外表面を外部からヒータ等で加熱することもできるが、配管後の給水給湯パイプ２は、床下空間Ｓ等に配置された際に周辺の壁等に囲われる場合がある。この場合、給水給湯パイプ２の配管後の外部から加熱は容易ではない。
【００２０】
そこで、本実施形態に係る給水給湯パイプの施工方法では、図２に示すように、前記加熱工程は、給水給湯パイプ２の内部から前記屈曲箇所を加熱して行うことができる。この場合、配管後の給水給湯パイプ２の加熱が外部から困難な場所、例えば、床下空間Ｓ、天井裏の空間、外壁と内壁との間の空間等であって、配管後の給水給湯パイプが周囲の壁等に囲まれることによって狭い空間に収容されるような場所であっても、給水給湯パイプ２の屈曲箇所２ｃを容易に加熱することができる。
【００２１】
また本実施形態に係る給水給湯パイプの施工方法では、前記加熱工程は、給水給湯パイプ２の内部に加熱水蒸気を導入することにより、給水給湯パイプ２の内部から前記屈曲箇所を加熱して行うことができる。給水給湯パイプ２の加熱に加熱水蒸気を利用すれば、給水給湯パイプ２を常圧で加熱できることができ、しかも、加熱媒体としての水分は給水給湯パイプ２に対して殆ど影響を及ぼすことがないと共に、温風や温水を用いる場合と比較して、極めて高い伝熱効率で給水給湯パイプ２を加熱することができる。ただし、本発明に係る給水給湯パイプの施工方法によれば、給水給湯パイプ２の内部から加熱を行う場合、加熱媒体の種類は制限されることがなく、例えば、温風、温水、水蒸気以外の物質の蒸気等であってもよい。また本実施形態では、給水給湯パイプ２の他端２ｂの側から加熱水蒸気を導入している。この場合、給水給湯パイプ２をその長さ方向に沿って均一に加熱することができる。
【００２２】
本実施形態では、過熱蒸気発生装置を用いて、給水給湯パイプ２の他端２ｂの側から加熱水蒸気を導入している。過熱蒸気発生装置は市販のものを用いることができ、その具体例としては、製品名「熱意識」（新熱工業株式会社製）、製品名「過熱蒸気発生装置ＵＰＳＳ Ｄシリーズ」（トクデン工業株式会社製）等が挙げられる。こうした過熱蒸気発生装置を用いれば、例えば、加熱温度Ｔは、前記過熱蒸気発生装置のヒータ容量及び蒸気量にて制御することが可能である。
【符号の説明】
【００２３】
１：水回り，  ２：給水給湯パイプ，  ２ａ：給水給湯パイプの一端，  ２ｂ：給水給湯パイプの他端，  ２ｃ：給水給湯パイプの屈曲箇所，  Ｓ：床下空間
【図１】
2019002188.tif 000003
【図２】
2019002188.tif 000004